(57)【特許請求の範囲】
【請求項１】
シールド電線の芯線に対して接続される内側端子と、この内側端子を収容可能な角筒状をなす本体部を有しかつこの本体部の一側面には切り込み縁に沿って曲げ伏すことで同面に凹部を形成しつつ前記内側端子を抜け止め状態で係止させる係止爪が前後方向に沿って形成されてなるシールドシェルと、このシールドシェルと前記内側端子との間に介在される誘電体とからなるとともに、
全体がコネクタハウジングのキャビティ内に挿通される途上では、このキャビティ内に形成された撓み可能なランスが、前記シールドシェルにおける凹部が形成された側面上を挿通方向に沿って摺接しつつ撓み変形し、全体が正規深さまで挿通されたときには前記凹部を通過した後の部位に配された被係止部に係止可能となっているシールド端子であって、
前記係止爪の先端側は末広がり状に幅広となるように形成される一方、前記ランスの先端部の幅は、前記凹部における前記係止爪の基端側と対応する部分の幅よりも幅広に形成され、かつ前記ランスの先端部における前後方向の長さ寸法は前記凹部における前記係止爪の先端の末広がり部分に対応した部分の前後方向の長さ寸法よりも大に設定されていることを特徴とするシールド端子。
【発明の詳細な説明】
【０００１】
【発明の属する技術分野】
本発明は、コネクタハウジングに収容されるシールド端子に関する。
【０００２】
【従来の技術】
この種のシールド端子として、特開平１０−１９０８３２号公報に記載のようなものがあるが、例えば、図２２に示すシールド端子１は、シールド電線Ｗの芯線に対して接続される内側端子３と、この内側端子３を収容するシールドシェル２と、内側端子３とシールドシェル２との間に介在する誘電体４とから構成される。このシールド端子１におけるシールドシェル２には、内部に誘電体４を係止するために天井壁から内側に向けて係止爪５が曲げ伏されている。
また、シールド端子１は、ハウジングのキャビティ内に挿入されると、キャビティ内に設けられたランスが、撓み変形しつつ、シールドシェル２の天井壁上を前端縁から後端縁６に亘って摺接しつつ移動する。そして、天井壁の後端縁６を通過したところで戻り変形して、天井壁の後端縁６に対して係止する。これにより、シールド端子１がキャビティ内に抜止される。
【０００３】
【発明が解決しようとする課題】
しかし、シールドシェル１の天井壁には、係止爪５を曲げ伏したために凹部７が生じている。このため、シールド端子の挿入工程において、ランスがこの凹部７に進入して引掛かってしまうと、シールド端子１の挿入抵抗が大きくなってしまう虞があった。
本発明は上記のような事情に基づいて完成されたものであって、シールド端子をハウジングに挿入する際の挿入抵抗の低減を目的とする。
【０００４】
【課題を解決するための手段】
上記の目的を達成するための手段として、請求項１の発明は、シールド電線の芯線に対して接続される内側端子と、この内側端子を収容可能な角筒状をなす本体部を有しかつこの本体部の一側面には切り込み縁に沿って曲げ伏すことで同面に凹部を形成しつつ前記内側端子を抜け止め状態で係止させる係止爪が前後方向に沿って形成されてなるシールドシェルと、このシールドシェルと前記内側端子との間に介在される誘電体とからなるとともに、全体がコネクタハウジングのキャビティ内に挿通される途上では、このキャビティ内に形成された撓み可能なランスが、前記シールドシェルにおける凹部が形成された側面上を挿通方向に沿って摺接しつつ撓み変形し、全体が正規深さまで挿通されたときには前記凹部を通過した後の部位に配された被係止部に係止可能となっているシールド端子であって、前記係止爪の先端側は末広がり状に幅広となるように形成される一方、前記ランスの先端部の幅は、前記凹部における前記係止爪の基端側と対応する部分の幅よりも幅広に形成され、かつ前記ランスの先端部における前後方向の長さ寸法は前記凹部における前記係止爪の先端の末広がり部分に対応した部分の前後方向の長さ寸法よりも大に設定されているところに特徴を有する。
【０００５】
【発明の作用及び効果】
請求項１の発明によれば、シールド端子がコネクタハウジングのキャビティ内に挿入されると、撓み変形したランスは、シールド端子の側面上を摺接しつつ被係止部へ至る。
この途上において、シールド端子の側面に係止爪を曲げ伏すことによって生じる凹部が形成されるような物にあっては、ランスは凹部を通過するのであるが、ランスの先端部の幅は凹部よりも幅広に形成されているので、ランスがシールドシェルの凹部に入り込んで引掛かってしまうことがない。従って、シールド端子の挿入抵抗が低減される。
【０００６】
【発明の実施の形態】
以下、本発明の一実施形態を図１〜図２１に基づいて説明する。
本実施形態のシールド端子は、図１及び図４に示すようにシールド筐体Ｃに組み付けられるコネクタ１０に収容されるものである。シールド筐体Ｃは、導電性の板材により箱型状に形成され、その一面はコネクタ１０に対する取付面となっている。この取付面には図２に示すようなコネクタ差込み用の開口部Ｓとコネクタ固定用の取り付け孔Ａとが開口している。但し、差込み用の開口部Ｓの両側縁部及び底縁部にはそれぞれ逃がし部Ｔが張り出し状に形成されている。
【０００７】
一方、コネクタ１０はハウジング２０とアース端子５０とからなっている。ハウジング２０は合成樹脂材により一体に形成され、図９に示すように、前部は角筒状に開口するフード部２０Ｆとなっている。フード部２０Ｆにおける外面の開口縁寄りには、左右側壁に一対、底壁５１の中央部に一つの張り出し部２３が配されている。ハウジング２０のフード部２０Ｆは各張り出し部２３を、シールド筐体Ｃにおいてそれぞれ対応する逃がし部Ｔに適合させつつ嵌め入れ可能であり、嵌め入れられた後にハウジング２０全体を図示下方へずらすことで各張り出し部２３を逃がし部Ｔの開口縁に引掛けてコネクタ１０全体がシールド筐体Ｃに仮保持されるようにしている。
【０００８】
また、フード部２０Ｆは図示しない相手側コネクタと嵌合可能に形成され、相手側コネクタとは天井面に形成されたハウジングロック２６が係止することによって嵌合状態でロックされるようになっている。さらに、フード部２０Ｆにおける左右両側壁の外面でかつ上記した張り出し部２３の所定間隔（シールド筐体Ｃの肉厚よりもやや大きめの間隔）だけ後方の位置には一対の固定片２２が張り出し形成されている。両固定片２２はシールド筐体Ｃの壁面に当接可能であるとともに、それぞれにはシールド筐体Ｃの取り付け孔Ａに対応する固定孔２２Ａが貫通している。これについては、後に改めて説明する。さらにまた、両固定片２２，２２の付け根部分であってフード部２０Ｆの開口面寄りにはアース端子５０の巻着片５３の先端を差し込んで開き止めを行う差込み溝２２Ｂが形成されている。
【０００９】
ハウジング２０はフード部２０Ｆに連続して端子保持部２０Ｒが備えられており、その内部にはシールド端子１５を収容するためのキャビティ２１が前後に貫通して形成されている。このキャビティ２１は断面が方形状に形成され、後述するシールド端子１５を後方より挿入可能である。また、キャビティ２１の図示天井面には片持ち状にランス２５が形成され、図示上下方向に撓んでシールド端子１５に一次係止可能となっている。
【００１０】
また、キャビティ２１内にはシールド端子１５の進入動作を案内するために、シールド端子１５の後部に形成されたスタビライザ１９，１９が嵌め込まれる一対のガイド溝２７，２７が凹み形成されている（図９参照）。同図に示すように、両ガイド溝２７，２７はキャビティ２１の後端縁からキャビティ２１の長さ方向に沿って延設され、ランス２５においてシールド端子１５と係止する部分の先端位置とほぼ同位置に至るまでのストロークに亘って形成されており、その終端は行き止まりとなってスタビライザ１９を突き当てる突き当て部２７Ａとなっている。尚、この実施形態においては、ガイド溝２７は入り口側よりも奥側の方が幅狭になっている。これにより、シールド端子１５の挿入初期では、スタビライザ１９は広い間隔のガイド溝２７を通過できるため、シールド端子１５を軽い力で挿入させることができ、挿入終期ではガイド溝２７の溝幅が絞られるため、シールド端子１５をがたつきなく保持することができる。
【００１１】
また、キャビティ２１内における底面の幅方向両端部には一対の検知溝２８が全長にわたって凹み形成されている。この検知溝２８はアース端子５０がハウジングに対して仮係止位置にあるときに、検知溝２８内にアース端子５０の所定部位（接触片５６の先端部）が位置するか否かを検知溝２８に沿ってレーザー光を通過させることによって検知する役割を果たす。
【００１２】
次に、ハウジング２０に組み付けられるアース端子５０について説明する。アース端子５０は導電性の金属板よりなり、図５に示すような展開形状から折り曲げによって形成されている（図２参照）。底壁５１からは両側縁部５２，５２が起立し、さらにこの両側縁部５２，５２の後端は底壁５１の後縁に沿うようにして内側に曲げられ、撓み可能な一対の本係止片５４が形成されている。さらに、両本係止片５４の対向する縁部にはそれぞれ本係止突部５４Ａが突出形成されている。この両本係止突部５４Ａ，５４Ａは後に説明するが、アース端子５０が仮係止位置にあるときには（図１４の状態）、後述する装着孔３１の孔縁に係止してハウジング２０に対してアース端子５０がそれ以上に深く差込まれないように仮規制する。また、アース端子５０が本係止位置（図１５の状態）にあるときにはハウジング２０内の検知溝２８に進入してここに係止可能となっている。
【００１３】
また、両側縁部５２，５２における本係止片５４とは反対側に一対の起立壁５５，５５が対向して形成されている（図２参照）。両起立壁５５，５５には一対の巻着片５３が外方へ張り出し形成されている。両巻着片５３は内向きに開口するコの字状をなして形成され、共に両固定片２２に対して整合して嵌め合わせることができるようになっている。また、両巻着片５３，５３には透孔５３Ａが形成され、アース端子５０がハウジング２０に対し正規に取り付けられることで、両巻着片５３が固定片２２に対して正規に嵌め合わされたときに透孔５３Ａと固定孔２２Ａとが整合するようになっている（図４参照）。
【００１４】
さらに、図２に示すように、起立壁５５における両巻着片５３，５３と反対側の端縁の上部には、一対の係合片５７，５７が形成されている（図２参照）。両係合片５７，５７は起立壁５５から内向きに階段状に延出しており、起立壁５５から一段下がったところには対向片５８が形成され、その中央部には外面側への切り起こしによって係止片６０が形成されており、ハウジング２０側に係止してアース端子５０全体を仮係止位置に保持できるようにしている。尚、本実施形態の係止片６０は、予め対向片５８に長孔６０Ａを打ち抜いて（図５参照）、係止片６０の下端縁を直線状に形成してから切り起こして形成されている。
また、対向片５８の先端縁は内向きに直角にかつ撓み可能に折り曲げられて当接片５９がそれぞれ形成されているが、当接片５９は対向片５８よりも幅狭となるように上端縁が切り落とされている。
【００１５】
それに加えて、図２に示すように、起立壁５５における側縁部５２と係合片５７との間には片持ち状に形成された一対の接触片５６，５６がそれぞれ撓み可能に形成されている。接触片５３は、キャビティ２１内に収容されたシールド端子１５のシールドシェル１６の側面に弾性力をもって接することができる（図１参照）。両接触片５６，５６は徐々に内向きとなるように内部へ向けて延出しており、付け根部側から先端側にいくにつれ次第に幅狭となるように形成されている。さらに、両接触片５６，５６の先端は略Ｖ字状をなして外向きに屈曲しており、シールド端子１５に対する接触先端部５６Ａとなっている（図１，２参照）。
【００１６】
次に、ハウジング２０へアース端子５０を組み込むための構成について説明すると、ハウジング２０における端子保持部２０Ｒの底面には、図７に示すように、アース端子５０を組み付けるための装着孔３１が左右に分かれて開口し、内部のキャビティ２１へと連通している。また、この装着孔３１へアース端子５０を装着するときに、端子保持部２０Ｒとの干渉を避けるために、端子保持部２０Ｒの両側壁には両装着孔３１に連続してアース端子５０の差し込みスリット３２が縦向きに形成されている。また、端子保持部２０Ｒにおける底面及び両側面のうち両装着孔３１及び差し込みスリット３２を含む領域は、アース端子５０が取り付けられたときに周辺の面とアース端子５０の外面とがほぼ面一となるよう、アース端子５０の肉厚分だけ凹ませた側面段差部３５Ａ及び底面段差部３５Ｂとしてそれぞれ形成されている。
【００１７】
図７に示すように、側面段差部３５Ａにおける上記差し込みスリット３２の上半部３４の一方の開口縁部にはハウジング２０の内側に鉤型形状をなす延長壁３４Ａが端子保持部２０Ｒの側壁３７とほぼ平行に延出して形成されている。これにより、端子保持部２０Ｒ内における側壁３７との間にはアース端子５０の係合片５７の形状に適合可能なクランク溝３４Ｂが形成され、このクランク溝３４Ｂの終端部は当接片５９を収容可能な引掛け部３６となっている。また、図９に示すように、このクランク溝３４Ｂの引掛け部３６はスタビライザ１９に対するガイド溝２７とほぼ直交して通じ合うようになっている。
さらに、スリット３２の下半部３３は、開口部から直接キャビティ２１内に貫通されており、アース端子５０の接触片５６をキャビティ２１内へ挿通するようになっている。ここで、下半部３３におけるスリット３２の一方の開口縁部は、接触片５６の傾斜に適合できるよう、外側の壁面にスリット３２に向けて下り勾配となるような斜面３３Ａが形成されている。
【００１８】
また、端子保持部２０Ｒの側壁３７であって、両装着孔３１の開口縁部にはアース端子５０の両側縁部５２，５２及び本係止片５４のそれぞれ内面に密着する受け片４０が形成されている。但し、両受け片４０，４０の外面は周辺の面よりもアース端子５０の肉厚分だけ内側へ引っ込めてある。受け片４０の前方にはこれと並列に垂片４１が形成されており、この垂片４１と受け片４０との間には隙間４２が保有されており、アース端子５０をハウジング２０に組み付ける際に両対向片５８，５８に形成された係止片６０との干渉を避けることができるようにしている。
【００１９】
さらに、端子保持部２０Ｒの側壁３７の内面で前記隙間４２の上部に連続した面は図１２に示すように、テーパー面３７Ａとなっているとともに、このテーパー面３７Ａに連続して段差面３８が形成されている。従って、アース端子５０の組み付け時に係止片６０はテーパー面３７Ａに沿って撓みつつ変位し、段差面３８に適合した時点で復帰してここに係止する。これにより、アース端子５０は仮係止位置に保持される。なお、段差面３８は端子保持部２０Ｒの後端面から穿孔された型抜き孔３９を利用して形成されている。
【００２０】
さてここで、本実施形態のシールド端子１５について説明する。
シールド端子１５は、シールド電線Ｗの先端に接続されるものであり、このシールド電線Ｗは周知のもので、中心に芯線を有し、その周りに絶縁層が形成され、さらにこの絶縁層には編組線が巻かれ、最外層に外被が配された同軸線となっている。そして、シールド端子１５は、芯線に対して接続される内側端子１７と、この内側端子１７を収容するシールドシェル１６と、内側端子１７とシールドシェル１６との間に介在される誘電体１８とから構成される（図１７参照）。
【００２１】
内側端子１７は、導電性を有した雄型端子で、前部はタブ形状をなしている。また、その中央部には、誘電体１８に挿入した際に収容孔１８Ａ内の上壁に食い込むことにより内側端子１７を固定する一対の食込突起１７Ａ，１７Ａが設けられている。さらに、後部にはシールド電線の芯線を圧着するための一対の圧着片よりなる圧着部１７Ｂが配されている。
誘電体１８は、樹脂等の絶縁材料で作られており、内側端子１７とシールドシェル１６とを電気的に絶縁する。誘電体１８の内部には内側端子１７を収容して固定する収容孔１８Ａが設けられ、また、シールドシェル１６内に固定されるために、上部の外壁には係止凹部１８Ｂが設けられ、底部の外壁には当接部１８Ｃが設けられている。
【００２２】
シールドシェル１６は、導電板を曲げ加工して形成されており、角筒状をなす本体部１６Ｈを備え、本体部の左右両側壁には図示しない相手側のシールド端子と弾性的に接触して係止する接触片１６Ｅが内向きにかつ斜め前方へ向けて形成されている。本体部１６Ｈの天井面の後部は、図３及び図１７に示すように開放され、開放された部分の前縁が前記した上述したランス２５によって係止される係止縁１６Ａとなっている。また、開放された部分の両側縁は外方へ折り曲げられて一対のスタビライザ１９，１９が形成されている。さらに、本体部１６Ｈの後方には、シールド電線Ｗの編組線と外皮とのそれぞれを圧着するための圧着部１６Ｆが形成されている。
また、シールドシェル１６は前述の誘電体１８を本体部１６Ｈの内側の所定位置までに挿入させるために、本体部１６Ｈの底壁には突当片１６Ｃが内向きにかつほぼ直角に切り起こしてある（図１９参照）。
【００２３】
さらに、シールドシェル１６の本体部１６Ｈの天井壁には、係止爪１６Ｂが内向きにかつ斜め後方へ向けて切り伏してある（図１８参照）。この係止爪１６Ｂは、撓み変形することで、誘電体１８の挿入を可能とし、誘電体１８の係止凹部１８Ｂに対して係止することで誘電体１８を抜止する（図１９参照）。
この係止爪１６Ｂは、本体部１６Ｈの天井壁に連なる基端側は一定幅に形成されると共に、誘電体１８に対して当接する先端側は先端へ向けて末広がり状に幅広となる形状をなしている（図１８参照）。
【００２４】
ところで、シールドシェル１６の天井壁には、上記係止爪１６Ｂを形成するために、凹部１６Ｄが生じてしまう。本実施形態では、この凹部１６Ｄの幅に関して、係止爪１６Ｂの基端側に対応して生じる箇所の幅Ｌ１がランス２５の幅Ｌ２よりも幅狭（Ｌ１＜Ｌ２）となるように設定してある（図１８参照）。
【００２５】
続いて、本実施形態のコネクタ１０の組付けを説明すると、まず、アース端子５０の両巻着片５３，５３をハウジング２０の固定片２２に適合させ、巻着片５３の先端を差込み溝２２Ｂに差し込む。これと同時に、両係合片５７，５７を差し込みスリット３２に適合させ、その状態で、ハウジング２０に対する押し込みを行う。このとき、係合片５７の係止片６０はハウジング２０側における垂片４１と受け片４０との間の隙間４２を通過してハウジング２０内のテーパー面３７Ａに沿って撓みつつ移動する。アース端子５０の押し込みが進行すると、両接触片５６，５６も受け片４０及び垂片４１の内側へ進入する。そして、係止片６０が段差面３８に至ると、係止片６０は弾性復帰して段差面３８に係止する（図１３参照）。また、このときにはアース端子５０の両本係止突部５４Ａ，５４Ａがハウジング２０における装着孔３１の孔縁に引掛かる（図１４参照）ことから、アース端子５０はそれ以上の押し込みが規制されるとともに、抜け落ちに対しても規制された仮係止位置となる。
【００２６】
上記仮係止位置では、図１３に示すように、アース端子５０の接触片５６は検知溝２８内に臨むが、その上端はキャビティ２１の底壁よりも低位にあり、シールド端子１５に対して非接触状態となる退避位置となっている。さらに、アース端子５０の当接片５９の上端縁はハウジング２０内のガイド溝２７よりも下方に位置している。したがって、アース端子５０が仮係止位置にあるときには、シールド端子１５はアース端子５０と干渉することなくキャビティ２１内へ挿入することができる。
【００２７】
さて、ここで、シールド端子１５をキャビティ２１内に挿入する工程について説明する。シールド端子１５がキャビティ２１内に挿入されると、ランス２５はシールドシェル１６の上端縁と当接することで、本体部１６Ｈの天井壁の上面に乗り上げるように上方へ撓み変形し、これによりシールド端子１５の進入が許容される。さらに、シールド端子１５は、本体部１６Ｈの天井壁とランス２５とを挿入方向に沿って摺接させつつ奥方へ挿入されていく。すると、ランス２５の先端部がシールドシェル１６の凹部１６Ｄにさしかかる（図１９参照）。
ここで、本実施形態のシールド端子１５は、シールドシェル１６の凹部１６Ｄの幅Ｌ１がランス２５の先端部の幅Ｌ２よりも幅狭に形成されている（図１８参照）ので、図１９に示すように、ランス２５が凹部に入り込んで引掛かってしまうことなく通過していく。
また、係止爪１６Ｂの末広がり状に形成された先端部に対応する凹部１６Ｄの幅は、ランス２５の先端部と同等或いは若干幅広となるように形成しても、係止爪１６Ｂの先端部に対応する箇所の前後方向の長さはランス２５の先端部の長さ方向の幅に比べて極めて小さいので、この箇所にランス２５が進入することはない。
【００２８】
こうしてキャビティ２１内へシールド端子１５を所定深さまで挿入すれば、ランス２５はシールドシェル１６の係止縁１６Ａと係止（一次係止）する（図２１参照）。尚、キャビティ２１内の奥方の左右側面及び底面には突条２９が設けられているので、挿入後のシールド端子１５をがたつきなく保持できる。
【００２９】
ところで、アース端子５０が仮係止位置にあるときには、接触片５６の接触先端部５６Ａが検知溝２８内に位置している。したがって、アース端子５０がハウジング２０に対して仮係止位置にあるものを光電式検知装置に仕掛け、検知溝２８の長さ方向からレーザー光を投光すれば、アース端子５０が正しく仮係止位置にあるか否かによって、受光側でのレーザー光の受光の有無が検出される。したがって、その結果に基づいてアース端子５０の装着異常を自動的に検出することができる。なお、検知溝２８内に接触片５６の接触先端部５６Ａが有るか否かは目視によっても判別可能である。
【００３０】
上記の仮係止位置から、アース端子５０をさらに押し込むと、本係止片５４が内方へ撓み本係止突部５４Ａが装着孔３１内へ押し込まれてゆく。そして、検知溝２８と適合した時点で本係止片５４が弾性復帰し本係止突部５４Ａが検知溝２８の内壁に係止するので、アース端子５０全体が本係止位置となる（図１６参照）。
【００３１】
アース端子５０が本係止位置になると、当接片５９がガイド溝２７内に進入して、シールド端子１５のスタビライザ１９の後方に位置する。これによって、シールド端子１５の抜けが規制される。かくして、シールド端子１５はランス２５による一次係止と併せてアース端子５０によって二次係止もなされていることになる。
ここで、本係止に至ったアース端子５０は接触片５６の接触先端部５６Ａがシールド端子１５のシールドシェル１６の左右両側面に対して接触する接触位置に移動する。これにより、アース端子５０とシールド端子１５との導通接続がなされる。このとき、接触片５６はシールドシェル１６に対し左右から弾性力をもって接しているので、アース端子５０とシールド端子１５との接触抵抗を低減させると共に、シールド端子１５の左右方向のがたつきを抑制する。また、本係止片５４の上端縁がシールド端子１５の下面に当接してシールド端子１５を押し上げているため、シールド端子１５の上下方向のがたつきも抑制される。
【００３２】
一方、シールド端子１５が正規深さまで挿入されない、いわゆる半挿入状態にあるときには、スタビライザ１９が当接片５９の通過路であるクランク溝３４Ｂの引掛け部３６を塞いでいるため、当接片５９がガイド溝２７内に進入することができない。したがって、作業者はこのような異常によってシールド端子１５の半挿入を知ることができる。
【００３３】
さらには、アース端子５０がハウジング２０に対し本係止位置になると、巻着片５３の透孔５３Ａと固定片２２の固定孔２２Ａとが整合するが、本係止に至るまでの間は不整合の状態にある。したがって、本係止位置にあれば、シールド筐体Ｃの壁面の取付け孔ＡへねじＢによってコネクタ１０全体の取付けが可能となるが、本係止位置に至っていない場合には、取付け孔Ａ、透孔５３Ａ、固定孔２２ＡへのねじＢの差込みが不能となる。したがって、少なくともシールド筐体Ｃへの取付けの段階になれば、アース端子５０の取付け異常が確実に検出される。もちろん、取付け以前の目視によっても異常の検出は十分可能ではある。
【００３４】
尚、メンテナンス等で、ハウジング２０からシールド端子１５を抜き出す必要がある場合は、ハウジング２０底部の解除凹部２１Ａに治具等を入れてアース端子５０の底壁５１を外方へ押し下げてアース端子５０を仮係止位置に戻すことで二次係止を解除し、さらにコネクタの前方から治具等を挿入してランス２５による一次係止を解除すればよい。これにより、接触片５６が退避位置となるので、アース端子１５の抜脱時の抵抗も小さいものとなる。
【００３５】
このように本実施形態のシールド端子１５では、シールドシェル１６の上面に形成された凹部１６Ｄの幅がランス２５よりも幅狭に形成されており、シールド端子１５をキャビティ２１に挿入する際に、ランス２５が凹部１６Ｄに入り込んで引掛かってしまうことがないので、シールド端子１５の挿入が円滑になされる。
さらに、シールド端子１５は、係止爪１６Ｂの先端部分を末広がり状として誘電体１８の係止凹部１８Ｂに対して当接する先端縁を幅広に形成したので、誘電体１８に対する係止力を強化することができる。この際、凹部１６Ｄのうち係止爪１６Ｂの先端縁に対応する箇所の幅が、ランス２５の先端部と同等かあるいは先端部よりも幅広となっていても、この幅広箇所の挿入方向に沿った長さをランス２５の先端部よりも短くすることで、ランス２５が凹部１６Ｄに進入して引掛かることもない。
【００３６】
また、本実施形態のコネクタ１０では、アース端子５０の接触片５６を退避位置と接触位置とに移動可能に係止して、接触片５６とシールド端子１５とが干渉しない退避位置において、シールド端子１５をハウジング２０に対して挿入させることができるので、シールド端子１５の挿入抵抗を低減させることができる。さらに、この接触片５６の退避位置から接触位置への移動を、アース端子５０の仮係止位置から本係止位置への移動と連動させているので、組付け工程数を減少させることができて、コネクタ１０の組付け時の作業性が向上する。
【００３７】
さらに、コネクタ１０はキャビティ２１のランス２５による一次係止に加えアース端子５０の当接片５９による二次係止を行い、シールド端子１５に対して二重係止することができる。さらに、アース端子５０はシールド端子１５の挿入方向と交差する方向に組みつけられるので、シールド端子１５は確実に抜け止めがなされる。
【００３８】
また、ハウジング２０に対してアース端子５０を仮係止位置に組付けることで、ハウジング２０とアース端子５０とを一体にしてからシールド端子１５の組付けを行うことができ、ハウジング２０とアース端子５０とを別個に保持する必要がない。
【００３９】
また、本実施形態のアース端子５０はシールドシェル１６に対して導通接続を行う接触片５６を、底壁５１と係合片５７との間に配置しているので、接触片５６が組付け時に他の部材等に引っ掛かったり、作業者に直接手で触れられたりすることを制限して、接触片５６を変形から保護することができる。
【００４０】
さらに、検知溝２８に光電式検知からの光を通過させて、仮係止位置におけるアース端子５０の接触片５６の接触先端部５６Ａが正規位置に配置されているか否かを検知することで、接触片５６が正規位置からずれてしまった不良品等を出荷前に未然に取り除くことができる。
【００４１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態は、誘電体１８を係止する係止爪１６Ｂを形成するために生じる凹部１６Ｄであったが、係止爪１６Ｂ以外の他のものを形成するために生じる凹部であってもよい。
（２）本発明は上記実施形態における凹部１６Ｄの形状に限定されるものではなく、凹部の幅がランスよりも幅狭となっているものであればよい。
【図面の簡単な説明】
【図１】本発明の一実施形態に係るコネクタの断面図
【図２】コネクタの分解斜視図
【図３】アース端子を仮係止位置に組付けたコネクタの斜視図
【図４】アース端子を本係止位置に組付けたコネクタの斜視図
【図５】アース端子の展開図
【図６】ハウジングの背面図
【図７】ハウジングの底面図
【図８】ハウジングの側面図
【図９】ハウジングの側断面図
【図１０】他の位置におけるハウジングの側断面図
【図１１】ハウジングの平断面図
【図１２】ハウジングの断面図
【図１３】アース端子を仮係止位置に組付けたコネクタの背面図
【図１４】仮係止位置においてシールド端子を挿入したコネクタの側断面図
【図１５】アース端子を本係止位置に組付けたハウジングの背面図
【図１６】シールド端子を二重係止したコネクタの側断面図
【図１７】シールド端子の分解斜視図
【図１８】シールド端子の凹部とハウジングのランスとの拡大斜視図
【図１９】シールド端子の挿入過程におけるハウジングの側断面図
【図２０】シールド端子の挿入過程におけるハウジングの断面図
【図２１】シールド端子の挿入後におけるハウジングの側断面図
【図２２】従来のシールド端子の斜視図
【符号の説明】
１５…シールド端子
１６…シールドシェル
１６Ａ…係止縁（被係止部）
１６Ｂ…係止爪
１６Ｄ…凹部
１６Ｈ…本体部
１７…内側端子
１８…誘電体
２０…コネクタハウジング
２１…キャビティ
２５…ランス
Ｗ…シールド電線
【図１】
0003656552.tif 000002
【図２】
0003656552.tif 000003
【図３】
0003656552.tif 000004
【図４】
0003656552.tif 000005
【図５】
0003656552.tif 000006
【図６】
0003656552.tif 000007
【図７】
0003656552.tif 000008
【図８】
0003656552.tif 000009
【図９】
0003656552.tif 000010
【図１０】
0003656552.tif 000011
【図１１】
0003656552.tif 000012
【図１２】
0003656552.tif 000013
【図１３】
0003656552.tif 000014
【図１４】
0003656552.tif 000015
【図１５】
0003656552.tif 000016
【図１６】
0003656552.tif 000017
【図１７】
0003656552.tif 000018
【図１８】
0003656552.tif 000019
【図１９】
0003656552.tif 000020
【図２０】
0003656552.tif 000021
【図２１】
0003656552.tif 000022
【図２２】
0003656552.tif 000023